(57)【要約】【課題】釣銭の取り忘れを効果的に抑制する。【解決手段】精算装置１は、商品を収容する収容袋を支持する支持部１ｅと、ロック状態と解除状態とを有し、ロック状態において、支持部１ｅに支持された収容袋を支持部１ｅから取り外せないようにし、解除状態において、支持部１ｅに支持された収容袋を支持部１ｅから取り外せるようにするロック部１ｄと、商品を登録する登録部１ａと、登録部１ａが登録した商品の精算を実行する精算部１ｂと、釣銭が排出される釣銭排出口１ｇと、釣銭排出口１ｇに残っている釣銭の有無を検出する検出部１ｆと、支持部１ｅに収容袋がセットされるとロック部１ｄをロック状態にし、かつ、精算部１ｂによる商品の精算後、検出部１ｆが釣銭排出口１ｇに釣銭がないことを検出すると、ロック部１ｄを解除状態にする制御部１ｃと、を有する。【選択図】図１
2013012002.tif 000002
【特許請求の範囲】
【請求項１】
商品を収容する収容袋を支持する支持部と、
ロック状態と解除状態とを有し、前記ロック状態において、前記支持部に支持された収容袋を前記支持部から取り外せないようにし、前記解除状態において、前記支持部に支持された収容袋を前記支持部から取り外せるようにするロック部と、
商品を登録する登録部と、
前記登録部が登録した商品の精算を実行する精算部と、
釣銭が排出される釣銭排出口と、
前記釣銭排出口に残っている釣銭の有無を検出する検出部と、
前記支持部に収容袋がセットされると前記ロック部を前記ロック状態にし、かつ、前記精算部による商品の精算後、前記検出部が前記釣銭排出口に釣銭がないことを検出すると、前記ロック部を前記解除状態にする制御部と、
を有することを特徴とする精算装置。
【請求項２】
前記支持部は、収容袋の取っ手が掛けられる袋掛け部と、収容袋の取っ手を前記袋掛け部に導入する導入口とを有し、
前記ロック部は、ロック部材を有し、かつ、前記ロック状態において、前記導入口を前記ロック部材で塞ぎ、前記解除状態において、前記導入口を前記ロック部材から露出させる、
ことを特徴とする請求項１記載の精算装置。
【請求項３】
前記ロック部材は、前記支持部にスライド可能なように取り付けられている、
ことを特徴とする請求項２記載の精算装置。
【請求項４】
前記ロック部材は、前記支持部に回転可能なように取り付けられている、
ことを特徴とする請求項２記載の精算装置。
【請求項５】
精算装置が、
支持部に支持された商品を収容する収容袋を前記支持部から取り外せないようにし、
商品を登録し、
登録した商品の精算を実行し、
釣銭が排出される釣銭排出口に残っている釣銭の有無を検出し、
前記釣銭排出口に釣銭がないことを検出すると、前記支持部に支持された収容袋を前記支持部から取り外せるようにする、
ことを特徴とする精算方法。
【発明の詳細な説明】
【技術分野】
【０００１】
本件は、商品の精算を行う精算装置、および、精算方法に関する。
【背景技術】
【０００２】
例えば、スーパーマーケット等の小売店では、買い物客の操作により、商品を登録し、登録した商品の精算を実行するセルフチェックアウト装置が用いられている。
セルフチェックアウト装置は、登録した商品の価格に基づいて請求金額を算出し、算出した請求金額を買い物客に提示する。そして、セルフチェックアウト装置は、買い物客により貨幣が投入されると、請求金額と投入額とを比較し、差額がある場合には、釣銭を釣銭排出口に排出する。
【０００３】
このようなセルフチェックアウト装置の中には、商品の精算後、買い物客が釣銭を釣銭排出口から取り忘れてしまうことを防止するため、例えば、釣銭排出口から釣銭を取り除かないと、レシートが発行されないようにするものがある（例えば、特許文献１参照）。
【先行技術文献】
【特許文献】
【０００４】
【特許文献１】特開２０１０−２３７９１０号公報
【発明の概要】
【発明が解決しようとする課題】
【０００５】
しかしながら、釣銭排出口から釣銭を取り除かないと、レシートが発行されないようにする方法では、買い物客がレシートを受け取ることを前提としているため、買い物客がレシートを受け取らない場合（取り忘れる場合や、受け取りを希望しない場合等）、釣銭の取り忘れを十分に抑制できない可能性がある。
【課題を解決するための手段】
【０００６】
発明の一観点によれば、以下のような精算装置、および、精算方法が提供される。
この精算装置は、商品を収容する収容袋を支持する支持部と、ロック状態と解除状態とを有し、ロック状態において、支持部に支持された収容袋を支持部から取り外せないようにし、解除状態において、支持部に支持された収容袋を支持部から取り外せるようにするロック部と、商品を登録する登録部と、登録部が登録した商品の精算を実行する精算部と、釣銭が排出される釣銭排出口と、釣銭排出口に残っている釣銭の有無を検出する検出部と、支持部に収容袋がセットされるとロック部をロック状態にし、かつ、精算部による商品の精算後、検出部が釣銭排出口に釣銭がないことを検出すると、ロック部を解除状態にする制御部と、を有する。
【０００７】
また、この精算方法は、精算装置が、支持部に支持された商品を収容する収容袋を支持部から取り外せないようにし、商品を登録し、登録した商品の精算を実行し、釣銭が排出される釣銭排出口に残っている釣銭の有無を検出し、釣銭排出口に釣銭がないことを検出すると、支持部に支持された収容袋を支持部から取り外せるようにする。
【発明の効果】
【０００８】
開示の精算装置、および、精算方法によれば、釣銭の取り忘れを効果的に抑制することができる。
【図面の簡単な説明】
【０００９】
【図１】第１の実施の形態に係る精算装置の一例を示す図である。
【図２】第２の実施の形態に係るセルフチェックアウト装置の一例を示す外観図である。
【図３】第２の実施の形態に係るロック機構の一例を示す図である。
【図４】第２の実施の形態に係る袋掛け部の一例を示す図である。
【図５】第２の実施の形態に係るセルフチェックアウト装置のハードウェアの一例を示す図である。
【図６】第２の実施の形態に係る制御装置の機能の一例を示す図である。
【図７】第２の実施の形態に係る制御装置の精算手順の一例を示すフローチャートである。
【図８】第２の実施の形態に係る制御装置の精算手順の一例を示すフローチャートである。
【図９】第２の実施の形態の変形例のロック機構を示す図である。
【図１０】第２の実施の形態の変形例の袋掛け部の一例を示す図である。
【発明を実施するための形態】
【００１０】
以下、実施の形態を図面を参照して説明する。
［第１の実施の形態］
図１は、第１の実施の形態に係る精算装置の一例を示す図である。
【００１１】
精算装置１は、買い物客の操作により、商品の精算を実行するものであり、例えば、セルフチェックアウト装置等である。精算装置１は、登録部１ａと、精算部１ｂと、制御部１ｃと、ロック部１ｄと、支持部１ｅと、検出部１ｆと、釣銭排出口１ｇとを有している。
【００１２】
支持部１ｅは、精算後の商品を収容する収容袋を支持する。収容袋は、例えば、ポリ袋や買い物バック等である。また、収容袋は、例えば、買い物客によって支持部１ｅに掛けられる。ロック部１ｄは、ロック状態と解除状態とを有し、ロック状態において、支持部１ｅに支持された収容袋を支持部１ｅから取り外せないようにし、解除状態において、支持部１ｅに支持された収容袋を支持部１ｅから取り外せるようにする。
【００１３】
登録部１ａは、商品を登録する。商品の登録は、例えば、精算装置１が有している商品読み取り部（図示せず）に、買い物客が商品に付されたバーコード等で表現された識別情報を読み取らせることで行われる。精算部１ｂは、登録部１ａが登録した商品の精算を実行する。釣銭排出口１ｇには、釣銭が排出される。検出部１ｆは、釣銭排出口１ｇに残っている釣銭の有無を検出する。
【００１４】
制御部１ｃは、支持部１ｅに収容袋がセットされるとロック部１ｄをロック状態にし、かつ、精算部１ｂによる商品の精算後、検出部１ｆが釣銭排出口１ｇに釣銭がないことを検出すると、ロック部１ｄを解除状態にする。
【００１５】
次に、精算装置１による商品の精算手順について説明する。ここで、支持部１ｅには、収容袋が掛けられているものとする。
まず、制御部１ｃが、ロック部１ｄをロック状態にする。次に、買い物客による操作により、登録部１ａが、商品を登録する。次に、精算部１ｂが、登録部１ａが登録した商品の精算を実行する。次に、検出部１ｆが、釣銭排出口１ｇに残っている釣銭の有無を検出する。そして、検出部１ｆが釣銭排出口１ｇに釣銭がないことを検出すると、制御部１ｃが、ロック部１ｄを解除状態にする。
【００１６】
このように、精算装置１は、支持部１ｅに収容袋がセットされるとロック部１ｄをロック状態にし、かつ、商品の精算後、釣銭排出口１ｇに釣銭がないことを検出すると、ロック部１ｄを解除状態にする。これによれば、釣銭が釣銭排出口１ｇに残っている場合には、買い物客は、収容袋を支持部１ｅから取り外すことができない。このため、釣銭の取り忘れを効果的に抑制することができる。
【００１７】
［第２の実施の形態］
次に、第１の実施の形態の精算装置１をより具体的にした実施の形態を、第２の実施の形態として説明する。
【００１８】
図２は、第２の実施の形態に係るセルフチェックアウト装置の一例を示す外観図である。
セルフチェックアウト装置１００は、本体部１１３と、本体部１１３の一方側に取り付けられた商品仮置き台１０８と、他方側に取り付けられた袋詰め台１１４とを有している。商品仮置き台１０８には、買い物客によって、精算前の商品が入れられた買い物かごが仮置きされる。
【００１９】
本体部１１３には、ディスプレイ１０１と、タッチパネル１０２と、磁気カードリーダ１０３と、スピーカ１０４と、レシートプリンタ１０５と、バーコードスキャナ１０６と、ＬＥＤ（Light Emitting Diode）１０７と、貨幣投入口１０９と、釣銭排出口１１０とが設けられている。
【００２０】
ディスプレイ１０１には、買い物客に対する操作の案内画面が表示される。タッチパネル１０２は、買い物客によるタッチ操作を受け付ける。タッチパネル１０２は、ディスプレイ１０１上に重ねて配置され、ディスプレイ１０１に表示された画像を透過する。買い物客は、ディスプレイ１０１に表示された案内画面を見ながら、タッチパネル１０２に対してタッチ操作を行う。
【００２１】
磁気カードリーダ１０３は、キャッシュカード等の磁気カードから情報を読み取る。スピーカ１０４は、報知音や音声ガイダンスを発生する。ＬＥＤ１０７は、点灯、または、点滅する。ＬＥＤ１０７は、例えば、買い物客の注意を喚起するために用いられる。レシートプリンタ１０５は、レシートに印字を行い、印字されたレシートを排出する。貨幣投入口１０９には、買い物客によって貨幣が投入される。釣銭排出口１１０には、釣銭が排出される。
【００２２】
バーコードスキャナ１０６は、手前にスキャン領域を有する。買い物客が商品をスキャン領域に翳すと、バーコードスキャナ１０６は、翳された商品に付されているバーコードを読み取る。これにより、商品の登録が行われる。
【００２３】
袋詰め台１１４には、袋支持部１１２と、バックスケール１１１とが設けられている。袋支持部１１２には、買い物客によって、ポリ袋や買い物バック等の精算後の商品を収容するための収容袋が掛けられる。バックスケール１１１は、袋支持部１１２に掛けられた収容袋の内容物の重量を計測する。
【００２４】
次に、袋詰め台１１４に設けられた袋支持部１１２の詳細な構造について説明する。
袋支持部１１２の先端は、収容袋の取っ手が掛けられる袋掛け部を構成し、さらに、袋掛け部にはロック機構が設けられている。
【００２５】
まず、ロック機構について説明する。
図３は、第２の実施の形態に係るロック機構の一例を示す図である。
ロック機構１２０は、棒状のロック部材１２１と、ロック部材１２１を長さ方向にスライド動作させるソレノイド１２２とを有している。
【００２６】
次に、ロック機構が設けられた袋掛け部の構造について説明する。
図４は、第２の実施の形態に係る袋掛け部の一例を示す図である。
図４（Ａ）に示すように、袋支持部１１２の先端は、屈曲して凹状の袋掛け部１１２ａを構成している。この袋掛け部１１２ａに、収容袋１１の取っ手１１ａが掛けられる。また、袋掛け部１１２ａは、開口部１１２ｂを有している。
【００２７】
収容袋１１の取っ手１１ａは、開口部１１２ｂを通過して袋掛け部１１２ａに掛けられる。すなわち、開口部１１２ｂは、収容袋１１の取っ手１１ａを袋掛け部１１２ａに導入する導入口として機能する。
【００２８】
また、ロック機構１２０のソレノイド１２２（図示せず）は袋支持部１１２に埋め込まれている。ロック部材１２１は、一端が袋支持部１１２から外部に突出するように、袋支持部１１２に埋め込まれたソレノイド１２２に取り付けられている。ロック部材１２１の突出部分の長さは、ソレノイド１２２によりロック部材１２１がスライド動作することで変化する。
【００２９】
また、ロック機構１２０は、ロック状態と解除状態とを有する。図４（Ａ）は、解除状態を示すものである。解除状態では、ロック部材１２１の突出部分が短くなり（または、突出部分が無くなり）、開口部１１２ｂがロック部材１２１から露出している。すなわち、袋掛け部１１２ａに掛けた収容袋１１を、袋掛け部１１２ａから取り外すことが可能な状態となる。
【００３０】
また、ロック状態では、図４（Ｂ）に示すように、ロック部材１２１の突出部分が長くなり、開口部１１２ｂがロック部材１２１で塞がれている。すなわち、袋掛け部１１２ａに掛けた収容袋１１を、袋掛け部１１２ａから取り外すことができない状態となる。
【００３１】
次に、セルフチェックアウト装置１００のハードウェアについて説明する。
図５は、第２の実施の形態に係るセルフチェックアウト装置のハードウェアの一例を示す図である。セルフチェックアウト装置１００は、制御装置１００ａと複数の周辺機器とを有している。
【００３２】
制御装置１００ａは、ＣＰＵ（Central Processing Unit）１３１と、ＣＰＵ１３１に接続されたＲＡＭ（Random Access Memory）１３２と、ＣＰＵ１３１に接続されたハードディスクドライブ（ＨＤＤ:Hard Disk Drive）１３３とを有している。セルフチェックアウト装置１００は、ＣＰＵ１３１により装置全体が制御されている。
【００３３】
ＲＡＭ１３２は、セルフチェックアウト装置１００の主記憶装置として使用される。ＲＡＭ１３２には、ＣＰＵ１３１に実行させるＯＳ（Operating System）のプログラムやアプリケーションプログラムの少なくとも一部が一時的に格納される。また、ＲＡＭ１３２には、ＣＰＵ１３１による処理に必要な各種データが格納される。
【００３４】
ＨＤＤ１３３は、内蔵したディスクに対して、磁気的にデータの書き込みおよび読み出しを行う。ＨＤＤ１３３は、セルフチェックアウト装置１００の二次記憶装置として使用される。ＨＤＤ１３３には、ＯＳのプログラム、アプリケーションプログラム、および各種データが格納される。なお、二次記憶装置としては、フラッシュメモリなどの半導体記憶装置を使用することもできる。
【００３５】
ＣＰＵ１３１には、バス１３７を介して、複数の周辺機器が接続されている。バス１３７に接続されている周辺機器としては、貨幣管理装置１３４、センサ１３５、ソレノイド１２２、ディスプレイ１０１、タッチパネル１０２、バーコードスキャナ１０６、バックスケール１１１、レシートプリンタ１０５、スピーカ１０４、ＬＥＤ１０７、および、通信インタフェース１３６がある。
【００３６】
貨幣管理装置１３４は、ＣＰＵ１３１からの命令に従って、貨幣投入口１０９から投入された貨幣の受付、釣銭排出口１１０への釣銭の排出、および、貨幣の計数や収納を行う。センサ１３５は、釣銭排出口１１０に設けられ、ＣＰＵ１３１からの命令に従って、釣銭排出口１１０に残っている釣銭の有無を検出し、検出信号をＣＰＵ１３１に送信する。センサ１３５には、例えば、光センサが用いられる。
【００３７】
ソレノイド１２２は、ＣＰＵ１３１からの命令に従って、ロック部材１２１をスライド動作させる。ディスプレイ１０１は、ＣＰＵ１３１からの命令に従って、画像を表示する。ディスプレイ１０１には、ＣＲＴ（Cathode Ray Tube）を用いた表示装置や液晶表示装置などが用いられる。
【００３８】
タッチパネル１０２は、買い物客によるタッチ操作を受け付け、入力信号をＣＰＵ１３１に送信する。バーコードスキャナ１０６は、商品に付されたバーコードから読み取った情報を、ＣＰＵ１３１に送信する。バックスケール１１１は、ＣＰＵ１３１からの命令に従って、袋掛け部１１２ａに掛けられた収容袋の内容物の重量計測を行い、計測結果をＣＰＵ１３１に送信する。
【００３９】
レシートプリンタ１０５は、ＣＰＵ１３１からの命令に従って、レシートへの印字、および、印字したレシートの排出を行う。スピーカ１０４は、ＣＰＵ１３１からの命令に従って鳴動する。ＬＥＤ１０７は、ＣＰＵ１３１からの命令に従って、点灯、および、点滅する。
【００４０】
通信インタフェース１３６は、ネットワーク１４１に接続されている。通信インタフェース１３６は、ネットワーク１４１を介して、管理サーバ１４２または他のコンピュータや通信機器との間でデータの送受信を行う。なお、管理サーバ１４２は、セルフチェックアウト装置１００によって登録された商品の情報を一元管理する。
【００４１】
以上のようなハードウェア構成によって、第２の実施の形態の処理機能を実現することができる。
次に、セルフチェックアウト装置１００の制御装置１００ａの機能の一例について説明する。
【００４２】
図６は、第２の実施の形態に係る制御装置の機能の一例を示す図である。
制御装置１００ａは、ディスプレイ１０１に接続された表示制御部１７と、タッチパネル１０２に接続された入力受付部１２と、ソレノイド１２２に接続された機構制御部１３と、バーコードスキャナ１０６およびバックスケール１１１に接続された商品登録部１４と、貨幣管理装置１３４に接続された精算部１５と、センサ１３５に接続された釣銭検出部１６とを有している。
【００４３】
表示制御部１７は、操作の案内画面を、ディスプレイ１０１に表示する。入力受付部１２は、タッチパネル１０２に対するタッチ入力を受け付ける。機構制御部１３は、ソレノイド１２２の動作を制御する。
【００４４】
商品登録部１４は、バーコードスキャナ１０６が読み取った情報に基づいて商品の登録を行う。さらに、商品登録部１４は、バックスケール１１１を用いて、登録した商品が、収容袋に入れられたかどうかを判定する。
【００４５】
精算部１５は、商品登録部１４が登録した商品の精算を行う。さらに、精算部１５は、貨幣管理装置１３４を制御して、釣銭を釣銭排出口１１０に排出する。釣銭検出部１６は、センサ１３５を用いて、釣銭排出口１１０に残っている釣銭の有無を検出する。
【００４６】
次に、制御装置１００ａによる精算手順について説明する。
図７、図８は、第２の実施の形態に係る制御装置の精算手順の一例を示すフローチャートである。なお、図７、図８に示す処理は、例えば、ディスプレイ１０１に表示された会計開始ボタンを、買い物客が押下することで開始される。まず、図７を用いて説明を行う。
【００４７】
［ステップＳ１１］表示制御部１７が、袋掛け部１１２ａに収容袋が掛けられていることを確認するための袋掛け確認ボタンをディスプレイ１０１に表示する。
［ステップＳ１２］入力受付部１２が、買い物客が袋掛け確認ボタンを押下したかどうかを判定する。袋掛け確認ボタンが押下された場合、入力受付部１２は、処理をステップＳ１３に進める。袋掛け確認ボタンが押下されていない場合、入力受付部１２は、ステップＳ１２を繰り返す。
【００４８】
［ステップＳ１３］機構制御部１３が、ソレノイド１２２を制御してロック部材１２１をスライド動作させ、ロック機構１２０をロック状態にする。これにより、買い物客が収容袋を袋掛け部１１２ａから取り外しできない状態となる。
【００４９】
［ステップＳ１４］商品登録部１４が、買い物客によってバーコードスキャナ１０６に翳された商品を登録する。
［ステップＳ１５］商品登録部１４が、登録した商品が袋掛け部１１２ａに掛けられた収容袋に収容されたかどうかをバックスケール１１１を用いて判定する。商品が収容袋に収容された場合、商品登録部１４は、処理をステップＳ１６に進める。商品が収容袋に収容されていない場合、商品登録部１１４は、ステップＳ１５を繰り返す。
【００５０】
［ステップＳ１６］商品登録部１４が、商品の登録が完了したかどうかを判定する。商品の登録が完了したかどうかは、例えば、ディスプレイ１０１に表示された登録完了ボタンを買い物客が押下したかどうかで判定する。商品の登録が完了した場合、商品登録部１４は、処理をステップＳ１７に進める。商品の登録が完了していない場合、商品登録部１４は、処理をステップＳ１４に戻す。
【００５１】
［ステップＳ１７］精算部１５が、登録された商品の価格に基づいて、買い物客に対する請求金額を算出する。
［ステップＳ１８］精算部１５が、投入金があるかどうかを判定する。投入金がある場合、精算部１５は、処理をステップＳ１９に進める。投入金がない場合、精算部１５は、ステップＳ１８を繰り返す。
【００５２】
［ステップＳ１９］精算部１５が、投入金額が算出した請求金額以上であるかどうかを判定する。投入金額が請求金額以上である場合、精算部１５は、処理をステップＳ２０に進める。投入金額が請求金額以上ではない場合、精算部１５は、処理をステップＳ１８に戻す。
【００５３】
ここからは、図８を用いて説明を行う。
［ステップＳ２０］精算部１５が、釣銭があるかどうかを判定する。釣銭がある場合、精算部１５は、処理をステップＳ２１に進める。釣銭がない場合、精算部１５は、処理をステップＳ２３に進める。
【００５４】
［ステップＳ２１］精算部１５が、貨幣管理装置１３４を制御して、釣銭を釣銭排出口１１０に排出する。
［ステップＳ２２］釣銭検出部１６が、センサ１３５を用いて釣銭排出口１１０に釣銭が残っていないかどうかを判定する。釣銭が残っていない場合、釣銭検出部１６は、処理をステップＳ２３に進める。釣銭が残っている場合、釣銭検出部１６は、ステップＳ２２を繰り返す。
【００５５】
［ステップＳ２３］機構制御部１３が、ソレノイド１２２を制御してロック部材１２１をスライド動作させ、ロック機構１２０を解除状態にして処理を終了する。これにより、買い物客が収容袋を袋掛け部１１２ａから取り外し可能な状態となる。
【００５６】
（変形例）
次に、ロック機構１２０の変形例について説明する。
図９は、第２の実施の形態の変形例のロック機構を示す図である。
【００５７】
ロック機構１５０は、平板状のロック部材１５１と、ロック部材１５１の一端を中心にして、ロック部材１５１を回転動作させるモータ１５２とを有している。ロック部材１５１には、ストッパ１５３が設けられている。ここで、モータ１５２は、機構制御部１３により回転動作が制御される。
【００５８】
次に、ロック機構１５０が設けられた袋掛け部１１２ａの構造について説明する。
図１０は、第２の実施の形態の変形例の袋掛け部の一例を示す図である。
モータ１５２（図示せず）は、袋支持部１１２に埋め込まれている。図１０（Ａ）に示すように、ロック部材１５１は、その一端が袋支持部１１２に埋め込まれたモータ１５２に取り付けられている。
【００５９】
また、ロック機構１５０は、ロック状態と解除状態とを有する。図１０（Ａ）は、解除状態を示すものである。解除状態では、ロック部材１５１は袋掛け部１１２ａから遠ざかる方向に回転し、開口部１１２ｂがロック部材１５１から露出している。すなわち、袋掛け部１１２ａに掛けた収容袋１１を、袋掛け部１１２ａから取り外すことが可能な状態となる。
【００６０】
また、ロック状態では、図１０（Ｂ）に示すように、ロック部材１５１は袋掛け部１１２ａと接触するように回転し、開口部１１２ｂがロック部材１５１で塞がれている。すなわち、袋掛け部１１２ａに掛けた収容袋１１を、袋掛け部１１２ａから取り外すことができない状態となる。
【００６１】
以上説明してきたように、セルフチェックアウト装置１００は、商品の登録前にロック機構１２０をロック状態にし、かつ、商品の精算後、釣銭排出口１１０に釣銭がないことを検出すると、ロック機構１２０を解除状態にする。これによれば、釣銭が釣銭排出口１１０に残っている場合には、買い物客は、収容袋を袋掛け部１１２ａから取り外すことができない。このため、釣銭の取り忘れを効果的に抑制することができる。
【００６２】
なお、上記の処理機能は、コンピュータによって実現することができる。その場合、セルフチェックアウト装置１００が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリなどがある。磁気記憶装置には、ハードディスク装置（ＨＤＤ）、フレキシブルディスク（ＦＤ）、磁気テープなどがある。光ディスクには、ＤＶＤ（Digital Versatile Disc）、ＤＶＤ−ＲＡＭ、ＣＤ−ＲＯＭ（Compact Disc Read Only Memory）／ＲＷ（ReWritable）などがある。光磁気記録媒体には、ＭＯ（Magneto-Optical disk）などがある。
【００６３】
プログラムを流通させる場合には、例えば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【００６４】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送されるごとに、逐次、受け取ったプログラムに従った処理を実行することもできる。
【００６５】
また、上記の処理機能の少なくとも一部を、ＤＳＰ（Digital Signal Processor）、ＡＳＩＣ（Application Specific Integrated Circuit）、ＰＬＤ（Programmable Logic Device）などの電子回路で実現することもできる。
【符号の説明】
【００６６】
１  精算装置
１ａ  登録部
１ｂ，１５  精算部
１ｃ  制御部
１ｄ  ロック部
１ｅ  支持部
１ｆ  検出部
１ｇ  釣銭排出口
１１  収容袋
１１ａ  取っ手
１２  入力受付部
１３  機構制御部
１４  商品登録部
１６  釣銭検出部
１７  表示制御部
１００  セルフチェックアウト装置
１００ａ  制御装置
１０１  ディスプレイ
１０２  タッチパネル
１０６  バーコードスキャナ
１１１  バックスケール
１１２  袋支持部
１１２ａ  袋掛け部
１１２ｂ  開口部
１２０，１５０  ロック機構
１２１，１５１  ロック部材
１２２  ソレノイド
１３４  貨幣管理装置
１３５  センサ
１５２  モータ
１５３  ストッパ
【図１】
2013012002.tif 000003
【図２】
2013012002.tif 000004
【図３】
2013012002.tif 000005
【図４】
2013012002.tif 000006
【図５】
2013012002.tif 000007
【図６】
2013012002.tif 000008
【図７】
2013012002.tif 000009
【図８】
2013012002.tif 000010
【図９】
2013012002.tif 000011
【図１０】
2013012002.tif 000012